(57)【特許請求の範囲】
【請求項１】
掛け布団本体と、この掛け布団本体の下面に着脱自在に積層される他の掛け布団本体と、前記掛け布団本体に着脱自在に取り付けられる第１の掛け布団カバーと、を備え、
前記掛け布団本体は、両側部に長手方向に亘って、上段ファスナー及び下段ファスナーの２段ファスナーが設けられていて、
前記下段ファスナーは、前記他の掛け布団本体の両側部に長手方向に亘って設けられた他の掛け布団ファスナーと連結し、前記上段ファスナーは、前記第１の掛け布団カバーの側端部に長手方向に亘って設けられた第１カバーファスナーと連結し、
前記第１の掛け布団カバーは、前記他の掛け布団本体の下面を覆うように配置されていることを特徴とする掛け布団。
【請求項２】
掛け布団本体と、この掛け布団本体の下面に着脱自在に積層される他の掛け布団本体と、前記掛け布団本体の両側部に対し着脱自在に取り付けられる一対の補助布団片と、該補助布団片に着脱自在な第２の掛け布団カバーと、を備え、
前記掛け布団本体は、両側部に長手方向に亘って、上段ファスナー及び下段ファスナーの２段ファスナーが設けられていて、
前記補助布団片は、長手方向の長さが前記掛け布団本体の長手方向の長さと略同一となっているとともに、両側部に長手方向に亘って、補助布団片ファスナーが設けられていて、
前記下段ファスナーは、前記他の掛け布団本体の両側部に長手方向に亘って設けられた他の掛け布団ファスナーと連結し、前記上段ファスナーは、前記補助布団片の一方の側部に設けられた前記補助布団片ファスナーと連結し、
前記補助布団片の他方の側部に設けられた補助布団片ファスナーは、第２の掛け布団カバーの側端部に長手方向に亘って設けられた第２カバーファスナーと連結し、前記第２の掛け布団カバーは前記他の掛け布団本体及び前記補助布団片の下面を覆うように配置されていることを特徴とする掛け布団。
【請求項３】
前記掛け布団本体が前記他の掛け布団本体よりも長手方向に長くなっており、前記掛け布団本体と前記他の掛け布団本体とが積層されている状態において、前記掛け布団本体の脚側端部が前記他の掛け布団本体の脚側端部より脚側先端に位置していることを特徴とする請求項１又は２に記載の掛け布団。
【発明の詳細な説明】
【技術分野】
【０００１】
本発明は、厚さを変更可能な掛け布団に関する。
【背景技術】
【０００２】
従来から、一般家庭において、容易に掛けふとんを洗濯できるようにするため、着脱自在に連結可能な複数の分割ふとん体により、掛けふとんを構成する技術が知られている（例えば、特許文献１参照。）。
【特許文献１】特開２０００−２７０９７５号公報
【発明の開示】
【発明が解決しようとする課題】
【０００３】
しかしながら、上記従来の技術において、一般家庭において、容易に掛けふとんを洗濯できるようにすることが目的であるにすぎず、掛けふとんの厚さを変えることができるものではなかった。
【０００４】
本発明は、上記問題点に鑑みてなされたものであり、厚さを変更可能であり、掛けふとん使用者の要望や掛けふとんを夏用、冬用に使用する場合等の便宜を図ることができるようにした掛け布団を提供することを目的とする。
【課題を解決するための手段】
【０００５】
本発明は、掛け布団本体と、この掛け布団本体の下面に着脱自在に積層される他の掛け布団本体と、前記掛け布団本体に着脱自在に取り付けられる第１の掛け布団カバーと、を備え、前記掛け布団本体は、両側部に長手方向に亘って、上段ファスナー及び下段ファスナーの２段ファスナーが設けられていて、前記下段ファスナーは、前記他の掛け布団本体の両側部に長手方向に亘って設けられた他の掛け布団ファスナーと連結し、前記上段ファスナーは、前記第１の掛け布団カバーの側端部に長手方向に亘って設けられた第１カバーファスナーと連結し、前記第１の掛け布団カバーは、前記他の掛け布団本体の下面を覆うように配置されていることを特徴とする掛け布団である。
【００１６】
この発明によれば、掛け布団の用途（例えば、冬用、夏用等）や、掛け布団使用者の要望に応じて、容易に、掛け布団の厚さを変更することができると共に、第１の掛け布団カバーにより他の掛け布団本体の下面を覆って、掛け布団本体を保護することができる。また、掛け布団本体の上段ファスナーは、第１の掛け布団カバーの側端部に長手方向に亘って設けられた第１カバーファスナーと連結し、第１の掛け布団カバーは他の掛け布団本体の下面を覆うように配置されているので、第１の掛け布団カバーにより掛け布団本体の上面は覆う必要がなく、第１の掛け布団カバーの構成を簡単にすることができる。
【００１７】
また、本発明は、掛け布団本体と、この掛け布団本体の下面に着脱自在に積層される他の掛け布団本体と、前記掛け布団本体の両側部に対し着脱自在に取り付けられる一対の補助布団片と、該補助布団片に着脱自在な第２の掛け布団カバーと、を備え、前記掛け布団本体は、両側部に長手方向に亘って、上段ファスナー及び下段ファスナーの２段ファスナーが設けられていて、前記補助布団片は、長手方向の長さが前記掛け布団本体の長手方向の長さと略同一となっているとともに、両側部に長手方向に亘って、補助布団片ファスナーが設けられていて、前記下段ファスナーは、前記他の掛け布団本体の両側部に長手方向に亘って設けられた他の掛け布団ファスナーと連結し、前記上段ファスナーは、前記補助布団片の一方の側部に設けられた前記補助布団片ファスナーと連結し、前記補助布団片の他方の側部に設けられた補助布団片ファスナーは、第２の掛け布団カバーの側端部に長手方向に亘って設けられた第２カバーファスナーと連結し、前記第２の掛け布団カバーは前記他の掛け布団本体及び前記補助布団片の下面を覆うように配置されていることを特徴とする掛け布団である。
【００１８】
この発明によれば、掛け布団の用途（例えば、冬用、夏用等）や、掛け布団使用者の要望に応じて、容易に、掛け布団の厚さを変更することができると共に、掛け布団カバーに一対の補助布団片を連結した状態で、掛け布団カバーにより、他の掛け布団本体の下面や一対の補助布団片の下面を覆って保護することができる。また、補助布団片ファスナーは、第２の掛け布団カバーの側端部に長手方向に亘って設けられた第２カバーファスナーと連結し、第２の掛け布団カバーは他の掛け布団本体の下面や一対の補助布団片の下面を覆うように配置されているので、第２の掛け布団カバーにより掛け布団本体の上面及び補助布団片の上面は覆う必要がなく、第２の掛け布団カバーの構成を簡単にすることができる。
また、例えば、掛け布団をベッドで使用する場合、一対の補助布団片を掛け布団本体に取り付けて、一対の補助布団片をベッドから垂らすことができる。また、例えば、畳上で掛け布団を使用する場合など、掛け布団の幅が短くて良い場合、掛け布団本体に一対の補助布団片を取り付けなくて良く、コストダウン等を図ることができる。
また、この一対の補助布団片の長手方向の長さは掛け布団本体の長手方向の長さと略同一となっているので、ベッド使用者の脚を掛け布団本体の脚側および一対の補助布団片で覆って、ベッド使用者の脚に対し、掛け布団の重さによる負担をかけずに、ベッド使用者の脚を確実に覆うことができる。
また、本発明において、掛け布団本体が他の掛け布団本体よりも長手方向に長くなっており、掛け布団本体と他の掛け布団本体とが積層されている状態において、掛け布団本体の脚側端部が他の掛け布団本体の脚側端部より脚側先端に位置していても良い。
この発明によれば、掛け布団の脚側において、掛け布団本体が設けられ、他の掛け布団本体が設けられていない箇所を有し、この箇所に、ベッド使用者の脚の先端が位置することにより、ベッド使用者の脚の先端に対し、掛け布団の重さによる負担をかけずに、ベッド使用者の脚を確実に覆うことができる。
【発明の効果】
【００１９】
本発明によれば、掛け布団の用途、例えば、冬用、夏用等に応じて、容易に、掛け布団の厚さを変更することができる。
【発明を実施するための最良の形態】
【００２０】
本発明の実施の形態につき、以下、図面を参照して説明する。
図１、２、４、７に示すように、本発明の実施の形態による掛け布団１は、掛け布団本体２と、他の掛け布団本体３と、一対の補助布団片４と、掛け布団カバー（第１の掛け布団カバー５又は第２の掛け布団カバー６）とを備えている。
【００２１】
掛け布団本体２は、略長方形状である。掛け布団本体２の両側部には、長手方向に亘って、上段ファスナー８および下段ファスナー９の２段ファスナー７が備えられている。掛け布団本体２の頭部近傍には、短手方向に亘って、頭部側ファスナー１０が備えられている。
掛け布団本体２は、長手方向の長さが２３０ｃｍであり、短手方向の長さが１５０ｃｍとなっている。
【００２２】
他の掛け布団本体３は、掛け布団本体２の下面に着脱自在に積層される。
他の掛け布団本体３の両側部の各々には、長手方向に亘って他の掛け布団ファスナー１１が設けられる。これらの他の掛け布団ファスナー１１は、掛け布団本体２の両側部に長手方向に亘って設けられた下段ファスナー９と連結する。
他の掛け布団本体３は、長手方向の長さが２１０ｃｍであり、短手方向の長さが１５０ｃｍとなっている。
【００２３】
図５におけるように、掛け布団本体２より他の掛け布団本体３の長さが短く、掛け布団本体２の脚側を垂れ提げて掛け布団使用者の脚先を覆い尽くすように、掛け布団１の脚側２０ｃｍには、掛け布団本体２のみが設けられており他の掛け布団本体３は設けられていない。
【００２４】
例えば、掛け布団１を夏に使用する場合は、掛け布団本体２のみを使用し、冬に使用する場合は、掛け布団本体２と他の掛け布団本体３とを積層した状態で使用する。
【００２５】
一対の補助布団片４は、掛け布団本体２の両側部に、着脱自在に取り付けられる。一対の補助布団片４の両側部の各々には、長手方向に亘って補助布団片ファスナー１２が設けられている。これらの補助布団片ファスナー１２のうち、掛け布団本体側のファスナー１２は、掛け布団本体２の両側部の上段ファスナー８と連結する。
【００２６】
図１、４におけるように、掛け布団カバーには、幅狭な掛け布団カバー（第１の掛け布団カバー）５および幅広な掛け布団カバー（第２の掛け布団カバー）６の二種類のカバーが用意されている。
【００２７】
掛け布団カバー５、６は、掛け布団本体等を覆うものである。掛け布団カバー５、６の頭部側には、袋状部１３が設けられている。袋状部１３は、掛け布団本体２の頭部に嵌め込まれる。
【００２８】
図３におけるように、袋状部１３の脚部側先端（掛け布団カバー５、６の頭部側端部より、若干脚部側）には袋状部ファスナー１４が備えられており、掛け布団本体２の頭部近傍に、短手方向に亘って備えられた頭部側ファスナー１０と連結する。掛け布団カバー５、６の両側端部には、長手方向に亘って、長手方向の両端部まで延びるカバーファスナー（第１カバーファスナー１５、第２カバーファスナー１６）が備えられている。
【００２９】
図４、７におけるように、掛け布団本体２に一対の補助布団片４が連結されていない場合、掛け布団本体２の上段ファスナー８が、第１の掛け布団カバー５の側部に設けられた第１カバーファスナー１５と連結する。第１の掛け布団カバー５は、掛け布団本体２と他の掛け布団本体３が積層されている場合、他の掛け布団本体３の下面を覆うように配置される。
【００３０】
掛け布団本体２に一対の補助布団片４が連結されている場合、一対の補助布団片４の両側部の補助布団片ファスナー１２のうち、掛け布団本体２と連結していない側の補助布団片ファスナー１２が、第２の掛け布団カバー６の側部に設けられた第２カバーファスナー１６と連結する。第２の掛け布団カバー６は、掛け布団本体２と他の掛け布団本体３が積層されている場合、他の掛け布団本体３の下面、及び、一対の補助布団片４の下面を覆うように配置される。
【００３１】
次に、本発明の実施の形態による掛け布団１を組み立てる動作につき、説明する。
掛け布団本体２に一対の補助布団片４を連結しない場合は、以下の通りである。
掛け布団本体２の両側部に長手方向に亘って設けられた２段ファスナー７の内、下段ファスナー９と、他の掛け布団本体３の両側部に長手方向に亘って設けられた他の掛け布団ファスナー１１とを連結することにより、掛け布団本体２と他の掛け布団本体３とを積層する。
【００３２】
第１の掛け布団カバー５の袋状部１３内に、連結している掛け布団本体２の頭部及び他の掛け布団本体３の頭部を嵌め込む。この際、第１の掛け布団カバー５は、他の掛け布団本体３の下面側に位置している。
【００３３】
掛け布団本体２の両側部に長手方向に亘って設けられた２段ファスナー７の内、上段ファスナー８と、第１の掛け布団カバー５の両側部に長手方向に亘って設けられた第１カバーファスナー１５とを連結することにより、掛け布団本体２と第１の掛け布団カバー５とを連結する。この際、第１の掛け布団カバー５は、他の掛け布団本体３の下面を覆うようになっている。
【００３４】
袋状部１３内側の袋状部ファスナー１４と、掛け布団本体２の頭部近傍に設けられた頭部側ファスナー１０とを連結する。
このようにして、幅狭の掛け布団１が組み立てられる。
【００３５】
次に、掛け布団本体２に一対の補助布団片４を連結して、掛け布団１を組み立てる場合は、以下の通りである。
掛け布団本体２の両側部に長手方向に亘って設けられた２段ファスナー７の内、下段ファスナー９と、他の掛け布団本体３の両側部に長手方向に亘って設けられた他の掛け布団ファスナー１１とを連結することにより、掛け布団本体２と他の掛け布団本体３とを積層する。
【００３６】
掛け布団本体２の両側部に長手方向に亘って設けられた２段ファスナー７の内、上段ファスナー８と、一対の補助布団片４の両側に設けられた補助布団片ファスナー１２の内、掛け布団本体２側のファスナー１２とを連結することにより、掛け布団本体２の両側の各々に、補助布団片４を連結する。
【００３７】
第２の掛け布団カバー６の袋状部１３内に、連結している掛け布団本体２、他の掛け布団本体３、及び、補助布団片４を嵌め込む。この際、第２の掛け布団カバー６は、他の掛け布団本体３の下面側に位置している。
【００３８】
補助布団片４の両側部に長手方向に亘って設けられた補助布団片ファスナー１２の内、掛け布団本体２と連結している補助布団片ファスナー１２に対し反対側の補助布団片ファスナー１２と、掛け布団カバー６の両側部に長手方向に亘って設けられた第２カバーファスナー１６とを連結することにより、補助布団片４と第２の掛け布団カバー６とを連結する。この際、第２の掛け布団カバー６は、他の掛け布団本体３の下面、及び、補助布団片４の下面を覆うようになっている。
【００３９】
袋状部１３の内側の袋状部ファスナー１４と、掛け布団本体２の頭部近傍に設けられた頭部側ファスナー１０とを連結する。
このようにして、幅広の掛け布団１が組み立てられる。
【００４０】
本発明の実施の形態によれば、掛け布団本体２と、この掛け布団本体２の下面に着脱自在に積層される他の掛け布団本体３と、を備えることを特徴とする掛け布団１であるので、掛け布団１の用途、例えば、冬用、夏用等に応じて、容易に、掛け布団１の厚さを変更することができる。
【００４１】
また、本発明の実施の形態において、掛け布団本体２が他の掛け布団本体３よりも長手方向に長くなっており、掛け布団本体２と他の掛け布団本体３とが積層されている状態において、掛け布団本体２の脚側端部が他の掛け布団本体３の脚側端部より脚側先端に位置しているので、掛け布団１の脚側において、掛け布団本体２が設けられ、他の掛け布団本体３が設けられていない箇所を有し、この箇所に、ベッド使用者の脚の先端が位置することにより、ベッド使用者の脚の先端に対し、掛け布団１の重さによる負担をかけずに、ベッド使用者の脚を確実に覆うことができる。
【００４２】
また、本発明の実施の形態において、掛け布団本体２の両側部に対し、長手方向に亘って、着脱自在に取り付けられる一対の補助布団片４を備え、この一対の補助布団片４の長手方向の長さは掛け布団本体２の長手方向の長さと略同一となっているので、例えば、掛け布団１をベッドで使用する場合、一対の補助布団片４を掛け布団本体２に取り付けて、一対の補助布団片４をベッドから垂らすことができる。また、例えば、畳上で掛け布団１を使用する場合など、掛け布団１の幅が短くて良い場合、掛け布団本体２に一対の補助布団片４を取り付けなくて良く、コストダウン等を図れる。また、この一対の補助布団片４の長手方向の長さは掛け布団本体２の長手方向の長さと略同一となっているので、ベッド使用者の脚を掛け布団本体２の脚側および一対の補助布団片４で覆って、ベッド使用者の脚に対し、掛け布団１の重さによる負担をかけずに、ベッド使用者の脚を確実に覆うことができる。
【００４３】
また、本発明の実施の形態において、２段ファスナー７の内、下段ファスナー９は、他の掛け布団本体３の両側部に長手方向に亘って設けられた他の掛け布団ファスナー１１と連結し、上段ファスナー８は、一対の補助布団片４の側部に長手方向に亘って設けられた補助布団片ファスナー１２と連結しているので、掛け布団使用者の要望に応じて、容易に、掛け布団１の厚さを変更することができ、また、例えば、掛け布団１をベッドで使用する場合、一対の補助布団片４を掛け布団本体２に取り付けて、一対の補助布団片４をベッドから垂らすことができる。
【００４４】
また、本発明の実施の形態において、第１の掛け布団カバー５を備え、掛け布団本体２の２段ファスナー７の内、下段ファスナー９は、他の掛け布団本体３の両側部に長手方向に亘って設けられた他の掛け布団ファスナー１１と連結し、上段ファスナー８は、第１の掛け布団カバー５の側端部に長手方向に亘って設けられた第１カバーファスナー１５と連結し、第１の掛け布団カバー５は他の掛け布団本体３の下面を覆うように配置されているので、掛け布団使用者の要望に応じて、容易に、掛け布団１の厚さを変更することができると共に、掛け布団カバー５により他の掛け布団本体３の下面を覆って、掛け布団本体を保護することができる。また、掛け布団本体２の上段ファスナー８は、第１の掛け布団カバー５の側端部に長手方向に亘って設けられた第１カバーファスナー１５と連結し、第１の掛け布団カバー５は他の掛け布団本体３の下面を覆うように配置されているので、第１の掛け布団カバー５により掛け布団本体２の上面は覆う必要がなく、第１の掛け布団カバー５の構成を簡単にすることができる。
【００４５】
また、本発明の実施の形態において、第２の掛け布団カバー６を備え、一対の補助布団片４の両側部の補助布団片ファスナー１２のうち、上段ファスナー８と連結している補助布団片ファスナー１２に対し反対側の補助布団片ファスナー１２に対し、第２の掛け布団カバー６の側端部に長手方向に亘って設けられた第２カバーファスナー１６を連結し、第２の掛け布団カバー６は他の掛け布団本体３及び補助布団片４の下面を覆うように配置されているので、、第２の掛け布団カバー６に一対の補助布団片４を連結した状態で、、第２の掛け布団カバー６により、他の掛け布団本体３の下面や一対の補助布団片４の下面を覆って保護することができる。また、補助布団片ファスナー１２は、第２の掛け布団カバー６の側端部に長手方向に亘って設けられた第２カバーファスナー１６と連結し、第２の掛け布団カバー６は他の掛け布団本体３の下面や一対の補助布団片４の下面を覆うように配置されているので、第２の掛け布団カバー６により掛け布団本体２の上面及び補助布団片４の上面は覆う必要がなく、第２の掛け布団カバー６の構成を簡単にすることができる。
【図面の簡単な説明】
【００４６】
【図１】本発明の実施の形態による掛け布団を分解した状態を示す図である。
【図２】本発明の実施の形態による掛け布団を組み立てた状態を示す図である。
【図３】本発明の実施の形態による掛け布団の頭部を示す側面図である。
【図４】本発明の実施の形態による布団を分解した状態を示す図である。
【図５】本発明の実施の形態による掛け布団本体と他の掛け布団本体を示す側面図である。
【図６】本発明の実施の形態による掛け布団を組み立てた状態を示す平面図である。
【図７】本発明の実施の形態による掛け布団を組み立てた状態を示す図である。
【符号の説明】
【００４７】
１‥‥掛け布団、２‥‥掛け布団本体、３‥‥他の掛け布団本体、４‥‥補助布団片、５‥‥第１の掛け布団カバー、６‥‥第２の掛け布団カバー、７‥‥２段ファスナー、８‥‥上段ファスナー、９‥‥下段ファスナー、１０‥‥頭部側ファスナー、１１‥‥他の掛け布団ファスナー、１２‥‥補助布団片ファスナー、１３‥‥袋状部、１４‥‥袋状部ファスナー、１５‥‥第１カバーファスナー、１６‥‥第２カバーファスナー
【図１】
0004638173.tif 000002
【図２】
0004638173.tif 000003
【図３】
0004638173.tif 000004
【図４】
0004638173.tif 000005
【図５】
0004638173.tif 000006
【図６】
0004638173.tif 000007
【図７】
0004638173.tif 000008